(57)【特許請求の範囲】
【請求項１】
ネットワークを介して端末装置に接続されるサーバ装置であって、
アカウント情報と、前記アカウント情報に対応付けられた一乃至複数の端末装置の設定情報と、が記憶されている、または、接続される端末装置の復元データが記憶されている記憶手段と、
一の端末装置から初期設定のための設定情報送信要求があった場合に、前記設定情報送信要求に含まれる前記アカウント情報に基づいて、当該アカウント情報に対応付く全ての端末装置の前記設定情報を取得し、前記一の端末装置に送信する送信手段と、
前記一の端末装置から前記設定情報の中の一の設定情報が通知されてきた場合、前記一の設定情報と前記一の端末装置とを対応付けて前記記憶手段に記憶させる記憶制御手段と、
前記一の端末装置から復元データ送信要求があった場合に、前記復元データ送信要求に含まれる前記設定情報に基づいて、前記設定情報に対応付く端末装置の前記復元データを前記記憶手段から取得し、取得した前記復元データを前記一の端末装置に送信する復元データ送信手段と、
を備えるサーバ装置。
【請求項２】
前記設定情報には、コード情報、及び当該コード情報が登録済みか否かを示す登録情報が含まれ、
前記記憶制御手段は、前記一の端末装置から前記設定情報の中の一の設定情報が通知されてきた場合、前記一の設定情報における前記登録情報を登録済みとする請求項１に記載のサーバ装置。
【請求項３】
複数の端末装置と、ネットワークを介して前記複数の端末装置に接続されるサーバ装置とを備えた端末設定システムであって、
前記サーバ装置は、
アカウント情報と、前記アカウント情報に対応付けられた一乃至複数の端末装置の設定情報と、が記憶されている、または、接続される端末装置の復元データが記憶されている記憶手段と、
一の端末装置から初期設定のための設定情報送信要求があった場合に、前記設定情報送信要求に含まれる前記アカウント情報に基づいて、当該アカウント情報に対応付く全ての端末装置の前記設定情報を取得し、前記一の端末装置に送信する送信手段と、
前記一の端末装置から前記設定情報の中の一の設定情報が通知されてきた場合、前記一の設定情報と前記一の端末装置とを対応付けて前記記憶手段に記憶させる記憶制御手段と、
前記一の端末装置から復元データ送信要求があった場合に、前記復元データ送信要求に含まれる前記設定情報に基づいて、前記設定情報に対応付く端末装置の前記復元データを前記記憶手段から取得し、取得した前記復元データを前記一の端末装置に送信する復元データ送信手段と、
を備える端末設定システム。
【請求項４】
アカウント情報と、前記アカウント情報に対応付けられた一乃至複数の端末装置の設定情報と、が記憶されている、または、接続される端末装置の復元データが記憶されている記憶手段を備え、ネットワークを介して端末装置に接続されるサーバ装置のコンピュータを、
一の端末装置から初期設定のための設定情報送信要求があった場合に、前記設定情報送信要求に含まれる前記アカウント情報に基づいて、当該アカウント情報に対応付く全ての端末装置の前記設定情報を取得し、前記一の端末装置に送信する送信手段、
前記一の端末装置から前記設定情報の中の一の設定情報が通知されてきた場合、前記一の設定情報と前記一の端末装置とを対応付けて前記記憶手段に記憶させる記憶制御手段、
前記一の端末装置から復元データ送信要求があった場合に、前記復元データ送信要求に含まれる前記設定情報に基づいて、前記設定情報に対応付く端末装置の前記復元データを前記記憶手段から取得し、取得した前記復元データを前記一の端末装置に送信する復元データ送信手段、
として機能させるプログラム。
【発明の詳細な説明】
【技術分野】
【０００１】
本発明は、サーバ装置、端末設定システム、及びプログラムに関する。
【背景技術】
【０００２】
物販店、飲食店等の各種店舗に設置される、店舗の売上データを処理するＥＣＲ（Electronic Cash Register：電子式金銭登録機）等の売上データ処理装置が普及している（例えば、特許文献１参照）。
従来、このような装置を購入して新規に設置する場合、装置の購入後、販売元の作業員が売上データ処理装置のユーザの元に出向いて初期設定を行っていた。
【先行技術文献】
【特許文献】
【０００３】
【特許文献１】特開２００９−９３２２号公報
【発明の概要】
【発明が解決しようとする課題】
【０００４】
しかしながら、初期設定にあたって、ユーザは作業員を呼んで設定作業を行ってもらわなければならないため、作業員に依頼する手間がかかり、また、作業日まで待たなければならず、設定に手間が掛かるものであった。
【０００５】
本発明の課題は、新規に装置を設置する際の設定の手間を低減することである。
【課題を解決するための手段】
【０００６】
上記課題を解決するため、本発明に係るサーバ装置は、ネットワークを介して端末装置に接続されるサーバ装置であって、アカウント情報と、前記アカウント情報に対応付けられた一乃至複数の端末装置の設定情報と、が記憶されている、または、接続される端末装置の復元データが記憶されている記憶手段と、一の端末装置から初期設定のための設定情報送信要求があった場合に、前記設定情報送信要求に含まれる前記アカウント情報に基づいて、当該アカウント情報に対応付く全ての端末装置の前記設定情報を取得し、前記一の端末装置に送信する送信手段と、前記一の端末装置から前記設定情報の中の一の設定情報が通知されてきた場合、前記一の設定情報と前記一の端末装置とを対応付けて前記記憶手段に記憶させる記憶制御手段と、前記一の端末装置から復元データ送信要求があった場合に、前記復元データ送信要求に含まれる前記設定情報に基づいて、前記設定情報に対応付く端末装置の前記復元データを前記記憶手段から取得し、取得した前記復元データを前記一の端末装置に送信する復元データ送信手段と、を備えることを特徴とする。
【０００７】
また、本発明に係る端末設定システムは、複数の端末装置と、ネットワークを介して前記複数の端末装置に接続されるサーバ装置とを備えた端末設定システムであって、前記サーバ装置は、アカウント情報と、前記アカウント情報に対応付けられた一乃至複数の端末装置の設定情報と、が記憶されている、または、接続される端末装置の復元データが記憶されている記憶手段と、一の端末装置から初期設定のための設定情報送信要求があった場合に、前記設定情報送信要求に含まれる前記アカウント情報に基づいて、当該アカウント情報に対応付く全ての端末装置の前記設定情報を取得し、前記一の端末装置に送信する送信手段と、前記一の端末装置から前記設定情報の中の一の設定情報が通知されてきた場合、前記一の設定情報と前記一の端末装置とを対応付けて前記記憶手段に記憶させる記憶制御手段と、前記一の端末装置から復元データ送信要求があった場合に、前記復元データ送信要求に含まれる前記設定情報に基づいて、前記設定情報に対応付く端末装置の前記復元データを前記記憶手段から取得し、取得した前記復元データを前記一の端末装置に送信する復元データ送信手段と、を備えることを特徴とする。
【０００８】
また、本発明に係るプログラムは、アカウント情報と、前記アカウント情報に対応付けられた一乃至複数の端末装置の設定情報と、が記憶されている、または、接続される端末装置の復元データが記憶されている記憶手段を備え、ネットワークを介して端末装置に接続されるサーバ装置のコンピュータを、一の端末装置から初期設定のための設定情報送信要求があった場合に、前記設定情報送信要求に含まれる前記アカウント情報に基づいて、当該アカウント情報に対応付く全ての端末装置の前記設定情報を取得し、前記一の端末装置に送信する送信手段、前記一の端末装置から前記設定情報の中の一の設定情報が通知されてきた場合、前記一の設定情報と前記一の端末装置とを対応付けて前記記憶手段に記憶させる記憶制御手段、前記一の端末装置から復元データ送信要求があった場合に、前記復元データ送信要求に含まれる前記設定情報に基づいて、前記設定情報に対応付く端末装置の前記復元データを前記記憶手段から取得し、取得した前記復元データを前記一の端末装置に送信する復元データ送信手段、として機能させることを特徴とする。
【発明の効果】
【００１１】
本発明によれば、新規に装置を設置する際の設定の手間を低減することができる。
【図面の簡単な説明】
【００１２】
【図１】本実施の形態における端末設定システムの構成を示すブロック図である。
【図２】サーバの機能構成を示すブロック図である。
【図３】顧客情報記憶部の一例を示す図である。
【図４】登録情報記憶部の一例を示す図である。
【図５】レジ装置の機能構成を示すブロック図である。
【図６】設定処理を示すフローチャートである。
【図７】接続画面の一例を示す図である。
【図８】設定画面の一例を示す図である。
【図９】復元処理を示すフローチャートである。
【図１０】復元画面の一例を示す図である。
【発明を実施するための形態】
【００１３】
以下、図面を参照して本発明の実施の形態について説明する。なお、本発明は、図示例に限定されるものではない。
【００１４】
［端末設定システムの構成］
先ず、本実施の形態の端末設定システム１００の全体構成について説明する。
図１は、端末設定システム１００の構成を示すブロック図である。
端末設定システム１００は、サーバ装置１０と、複数のレジ装置２０と、を備える。サーバ装置１０と複数のレジ装置２０とは、通信ネットワークＮを介して接続されている。
【００１５】
サーバ装置１０は、レジ装置２０のユーザが、そのレジ装置２０の初期設定を行うための設定情報を、レジ装置２０に対して送信する機能を有する装置である。
レジ装置２０は、例えば、個人商店、小売店、食堂等に設けられるＥＣＲ（Electronic Cash Register）等の端末装置であり、所定の場所に設置された状態で、店舗のオーナー等のユーザにより初期設定が行われる。
通信ネットワークＮは、インターネットであるものとし、無線、専用線、ＬＡＮ（Local Area Network）等を含んでもよい。
【００１６】
次に、サーバ装置１０の機能的構成について詳細に説明する。
図２は、サーバ装置１０の機能構成を示すブロック図である。
サーバ装置１０は、送信手段、記憶制御手段、復元データ送信手段としてのＣＰＵ（Central Processing Unit）１１と、ＲＡＭ（Random Access Memory）１２と、記憶手段としての記憶部１３と、表示部１４と、操作部１５と、通信部１６と、を備える。サーバ装置１０の各部は、バス１７を介して接続されている。
【００１７】
ＣＰＵ１１は、サーバ装置１０の各部を制御する。ＣＰＵ１１は、記憶部１３に記憶されているシステムプログラム及びアプリケーションプログラムのうち、指定されたプログラムを読み出してＲＡＭ１２に展開し、ＲＡＭ１２に展開されたプログラムとの協働で、各種処理を実行する。
【００１８】
例えば、ＣＰＵ１１は、送信プログラム１３１に従い、一のレジ装置２０から初期設定のための設定情報送信要求があった場合に、設定情報送信要求に含まれるアカウント情報に基づいて、当該アカウント情報に対応付く全てのレジ装置２０の設定情報を取得し、そのレジ装置２０に送信する。
また、ＣＰＵ１１は、記憶制御プログラム１３２に従い、一のレジ装置２０から、先立って送信した設定情報の中の一の設定情報が通知されてきた場合、一の設定情報と通知してきたレジ装置２０とを対応付けて記憶部１３に記憶する。
また、ＣＰＵ１１は、復元データ送信プログラム１３３に従い、一のレジ装置２０から復元データ送信要求があった場合に、復元データ送信要求に含まれる設定情報に基づいて、設定情報に対応付く端末装置の復元データを取得し、レジ装置２０に送信する。
【００１９】
ＲＡＭ１２は、情報を一時的に記憶する揮発性の半導体メモリであり、各種データ及びプログラムを格納するワークエリアを有する。
【００２０】
記憶部１３は、ＨＤＤ（Hard Disk Drive）等により構成され、各種データ及び各種プログラムを読み出し及び書き込み可能に記憶する。
記憶部１３には、例えば、送信プログラム１３１と、記憶制御プログラム１３２と、復元データ送信プログラム１３３と、顧客情報記憶部１３４と、登録情報記憶部１３５と、復元データ情報記憶部１３６と、が記憶されている。
【００２１】
図３は、顧客情報記憶部１３４の一例を示す図である。
顧客情報記憶部１３４には、アカウント情報（メールアドレス、パスワード）に対応づけられて、顧客情報（契約情報、企業情報、店舗情報、レジ情報、支払情報、管理情報）が記憶されている。
【００２２】
契約情報は、レジ装置を購入した契約者に関する情報であって、例えば、契約区分（法人契約又は個人契約）、契約者氏名、契約者住所、契約者の電話番号、契約者のメールアドレス、を含む。
企業情報は、レジ装置を購入した企業に関する情報であって、例えば、企業名を含む。
店舗情報は、レジ装置を使用する店舗に関する情報であって、例えば、店舗名、店舗代表者氏名、店舗住所、店舗の電話番号、店舗の業種、業種詳細、使用開始日付（日付、曜日）を含む。
レジ情報は、購入したレジ装置に関する情報であって、購入したレジ装置の数（使用レジ数）を含む。
支払情報は、購入したレジ装置の支払いに関する情報であって、支払方法（クレジット払い、銀行振込等）、支払方法の詳細（カード番号、カード利用期限等）を含む。
管理情報は、顧客情報を管理するための情報であって、自動発番される契約コード、パスワードを含む。
【００２３】
上記各情報（契約情報、企業情報、店舗情報、レジ情報、支払情報）は、レジ装置２０が新規に購入される際に、これを購入した顧客の携帯端末やＰＣ（Personal Computer）、或いはレジ装置２０を販売する店舗等に設置されるＰＣ等から、サーバ装置１０に送信される情報である。
なお、レジ装置２０を購入した顧客が、これらの情報を書類に記載してサーバ装置１０の管理者（販売元など）に送付し、管理者が情報を登録することとしても良い。
【００２４】
管理情報は、上記各情報（契約情報、企業情報、店舗情報、レジ情報、支払情報）が顧客情報記憶部１３４に登録された際に、付帯される。
【００２５】
図４は、登録情報記憶部１３５の一例を示す図である。
登録情報記憶部１３５は、契約時に顧客が設定したレジ装置２０の数（図３のレジ情報の数）分のレコードを有する。
各レコードは、契約コード、レジコード、レジ名、店舗名、識別子、及び使用情報の項目を備えている。
契約コードは、図３の顧客情報記憶部１３４と、登録情報記憶部１３５を紐づけるためのコードである。
レジコードは、契約時に、サーバ装置１０により自動発番されるコードである。
レジ名は、契約時に、顧客が指定したレジの名称である。
店舗名は、契約時に、顧客が指定した店舗の名称である。
識別子は、そのレジコードを使用しているレジ装置２０の固有の識別情報であって、当初は空欄であるが、レジ装置２０が初期設定された際に、そのレジ装置２０から通知される。
使用情報は、そのレジコードを使用しているレジ装置２０の使用状態を示し、レジコードが使用されていることを示す「登録済」、レジコードが未使用であることを示す「未登録」の他、故障時の入れ替えを示す「入替（故障）」等の設定がなされる。
【００２６】
登録情報記憶部１３５においては、あるレジ装置２０において初期設定が行われ、そのレジ装置２０から、レジコード、及び当該レジ装置２０の識別子が通知されてくると、そのレジコードのレコードの識別子が設定され、使用情報が「未登録」が「登録済」に上書きされる。
また、登録情報記憶部１３５に登録されている（「登録済」となっている）レジコードのレジ装置２０に対して故障の連絡があった場合、「登録済」が、「入替（故障）」に上書きされる。
【００２７】
また、登録情報記憶部１３５における、レジコード、レジ名、店舗名、使用情報は、設定情報に含まれる。
【００２８】
復元データ情報記憶部１３６は、例えば、レジ装置２０により精算が行われるたびに、その精算が行われたレジ装置２０から送信される、従業員の出勤記録や売上記録等のバックアップデータである。この復元データは、新たなデータを受信するたびに上書きされる。
【００２９】
表示部１４は、ＬＣＤ（Liquid Crystal Display）等により構成され、ＣＰＵ１１から入力される表示情報に応じて各種表示を行う。
【００３０】
操作部１５は、各種キー操作入力を受け付けるキーボードと、マウス等のポインティングデバイスと、を含む構成である。操作部１５は、キーボードに対するキー操作やマウス操作により入力された操作信号をＣＰＵ１１に出力する。
【００３１】
通信部１６は、ネットワークカード等で構成され、サーバ装置１０と、通信ネットワークＮとの間の通信の制御を行う。通信部１６により、サーバ装置１０は、通信ネットワークＮ上のレジ装置２０と通信が可能となる。
【００３２】
次に、レジ装置２０の機能的構成について詳細に説明する。
図５は、レジ装置２０の機能構成を示すブロック図である。
レジ装置２０は、通信手段、表示制御手段、通知手段としてのＣＰＵ２１と、ＲＡＭ２２と、テーブル記憶部２３と、プログラム記憶部２４と、表示手段としての表示部２５と、選択手段としての操作部２６と、印刷部２７と、ドロア部２８と、通信部２９と、を備えている。レジ装置２０の各部は、バス３０を介して接続されている。
【００３３】
ＣＰＵ２１は、レジ装置２０の各部を制御する。ＣＰＵ２１は、プログラム記憶部２４に記憶されているシステムプログラム及びアプリケーションプログラムのうち、指定されたプログラムを読み出してＲＡＭ２２に展開し、ＲＡＭ２２に展開されたプログラムとの協働で、各種処理を実行する。
【００３４】
例えば、ＣＰＵ２１は、通信プログラム２４１に従い、初期設定にあたってサーバ装置１０に対して設定情報送信要求を送信し、サーバ装置１０から、設定情報送信要求に含まれるアカウント情報に対応付けられた全てのレジ装置２０の設定情報を受信する。
また、ＣＰＵ２１は、表示制御プログラム２４２に従い、受信した設定情報を表示部２５の設定画面Ｇ２（図８参照）に一覧表示させる。
また、ＣＰＵ２１は、通知プログラム２４３に従い、ユーザが操作部２６を介して設定画面Ｇ２において選択した一の設定情報をサーバ装置１０に通知する。
また、ＣＰＵ２１は、復元プログラム２４４に従い、サーバ装置１０から復元データを受信した場合、その復元データをレジ装置２０において復元させる。
【００３５】
ＲＡＭ２２は、情報を一時的に記憶する揮発性の半導体メモリであり、各種データ及びプログラムを格納するワークエリアを有する。
【００３６】
テーブル記憶部２３は、情報の読み出し及び書き込みが可能な記憶部であり、例えば、フラッシュメモリ、ＥＥＰＲＯＭ（Electrically Erasable Programmable Read Only Memory）等から構成されている。テーブル記憶部２３には、レジ装置２０の使用に関する各種データ（従業員の出勤記録、売上記録等）のテーブルが記憶されている。
【００３７】
プログラム記憶部２４は、情報の読み出し専用の記憶部であり、例えば、ＲＯＭ（Read Only Memory）等から構成されている。プログラム記憶部２４には、通信プログラム２４１と、表示制御プログラム２４２と、通知プログラム２４３と、復元プログラム２４４と、が記憶されている。
【００３８】
表示部２５は、例えば、ＬＣＤ（Liquid Crystal Display）や有機ＥＬ（Electro-Luminescence）ディスプレイ等から構成されている。また、表示部２５には、ＣＰＵ２１から出力されて入力される表示信号の指示に従って、各種画面（接続画面Ｇ１、設定画面Ｇ２、復元画面Ｇ３等）を表示する。
【００３９】
操作部２６は、レジ装置２０の所定操作を行うためのものである。
操作部２６は、レジ装置２０を操作するユーザの接触操作を受け付けるタッチパネル２６１を備えている。タッチパネル２６１は、表示部２５と一体となって形成され、例えば、静電容量方式、抵抗膜方式、超音波表面弾性波方式等の各種方式により、ユーザによる表示部２５上の接触位置のＸＹ座標を検出し、その位置信号をＣＰＵ２１に出力する。
【００４０】
印刷部２７は、例えば、サーマルプリンタ（感熱式プリンタ）等から構成され、ＣＰＵ２１から出力されて入力される指示信号に従って、レシート用、ジャーナル用のロール紙（感熱紙）に対して金額や売上データ等をプリントアウトする。
【００４１】
ドロア部２８は、硬貨や紙幣等の現金を収納する引き出し等から構成され、ＣＰＵ１から出力されて入力される指示信号に従って、引き出しを開放する。なお、開放された引き出しは、ユーザにより手動で閉められる。
【００４２】
通信部２９は、ネットワークカード等で構成され、レジ装置２０と、通信ネットワークＮとの間の通信の制御を行う。通信部２９により、レジ装置２０は、通信ネットワークＮ上のサーバ装置１０と通信が可能となる。
【００４３】
［端末設定システムの動作］
次に、端末設定システム１００の動作について説明する。
本実施の形態における端末設定システム１００は、新規に購入したレジ装置２０を店舗等に設置する際、ユーザに自ら初期設定させる端末設定処理を実行するものである。
また、端末設定システム１００は、既に設置されているレジ装置２０を新たなレジ装置２０に交換する際、交換前のレジ装置２０が保有していたデータを、新たなレジ装置２０において復元する復元処理を実行するものである。
以下、これらの処理の具体的な制御について説明する。
【００４４】
（端末設定処理）
図６は、端末設定処理を示すフローチャートである。
この処理の前提として、レジ装置２０の購入の際、ユーザはアカウントを取得し、アカウント情報と対応付いた顧客情報（図３参照）がサーバ装置１０に送信される。また、レジ装置２０の発送元から、注文した台数だけレジ装置２０がユーザの元に届けられている。
【００４５】
先ず、サーバ装置１０のＣＰＵ１１は、レジ装置２０から接続要求を受信すると、接続画面情報を、通信部１６を介して、接続要求の要求元のレジ装置２０に送信する（ステップＳ１０１）。
【００４６】
レジ装置２０のＣＰＵ２１は、サーバ装置１０から送信された接続画面情報を、通信部２９を介して受信すると、表示部２５に接続画面Ｇ１を表示させる（ステップＳ１０２）。
【００４７】
図７に、接続画面Ｇ１の一例を示す。
接続画面Ｇ１は、「メールアドレス入力欄」ｇ１１と、「パスワード入力欄」ｇ１２と、「登録ボタン」ｂ１と、を有する。
ここで、接続画面Ｇ１に入力されるメールアドレスは、レジ装置２０の購入時に登録した契約者のメールアドレスである。また、パスワードは、メールアドレスの登録時に発行されたパスワードである。
【００４８】
接続画面Ｇ１において、操作部２６を介して、「メールアドレス入力欄」ｇ１１及び「パスワード入力欄」ｇ１２にそれぞれメールアドレス及びパスワード（アカウント情報）が入力され、「登録ボタン」ｂ１が操作されると（ステップＳ１０３）、レジ装置２０のＣＰＵ２１は、入力されたメールアドレス及びパスワードを含む設定情報送信要求をサーバ装置１０に送信する（ステップＳ１０４）。
【００４９】
サーバ装置１０のＣＰＵ１１は、レジ装置２０から送信された設定情報送信要求を、通信部１６を介して受信すると（ステップＳ１０５）、記憶部１３に記憶された顧客情報記憶部１３４を参照し、設定情報送信要求に含まれるメールアドレス及びパスワードに合致した顧客情報を読み出す。そして、ＣＰＵ１１は、登録情報記憶部１３５を参照し、レジコード、レジ名、店舗名、及び使用情報を取得し、設定情報として、レジ装置２０に送信する（ステップＳ１０６）。
【００５０】
レジ装置２０のＣＰＵ２１は、サーバ装置１０から送信された設定情報を、通信部２９を介して受信すると（ステップＳ１０７）、受信した設定情報内のレジコードが複数か否かを判断し（ステップＳ１０８）、１つの場合（ステップＳ１０８：ＮＯ）、後述のステップＳ１１１に移行する。一方、複数の場合（ステップＳ１０８：ＹＥＳ）、ＣＰＵ２１は、表示部２５に設定画面Ｇ２を表示させる（ステップＳ１０９）。
【００５１】
図８に、設定画面Ｇ２の一例を示す。
設定画面Ｇ２は、設定情報に含まれる全てのレジ装置２０が一覧表示されたものである。
即ち、複数のレジ装置２０を購入した場合、その数分のレジコードが表示されることとなる。
各レコードは、「Ｎｏ．」ｇ２１、「レジコード」ｇ２２、「レジ名」ｇ２３、「店舗名」ｇ２４、及び「登録」ｇ２５の項目が含まれる。
「Ｎｏ．」ｇ２１は、自動的に発番される識別番号であり、その他の各項目は、何れも設定情報に基づくものである。
【００５２】
設定画面Ｇ２において、ユーザにより、操作部２６を介して、そのレジ装置２０に割り当てられるレコードが選択されると（ステップＳ１１０）、レジ装置２０のＣＰＵ２１は、選択されたレコードのレジコードを、そのレジ装置２０に割り当てられたものとして設定する（ステップＳ１１１）。
ここでは、「登録」ｇ２５が「未」のものが選択される。
これにより、本処理を行っているレジ装置２０に、レジコード及びレジ名が割り当てられる。
【００５３】
次いで、レジ装置２０のＣＰＵ２１は、本処理を行っているレジ装置２０の識別子と共に、選択されたレジコードを、一の設定情報として、サーバ装置１０に送信し（ステップＳ１１２）、サーバ装置１０のＣＰＵ１１は、これを受信すると（ステップＳ１１３）、記憶部１３の登録情報を上書きする（ステップＳ１１４）。即ち、登録情報記憶部１３５において、受信したレジコードに対応した識別子が設定され、使用情報が「未登録」から「登録済」に上書きされる。
【００５４】
（復元処理）
図９は、復元処理を示すフローチャートである。
かかる処理は、図６の端末設定処理のステップＳ１０８まで、端末設定処理と同一であるため、ここまでの説明は省略する。
【００５５】
設定画面Ｇ２において、ユーザにより、操作部２６を介して、復元するレジ装置２０（故障したレジ装置２０）に割り当てられるレコードが選択されると（ステップＳ２０１）、レジ装置２０のＣＰＵ２１は、選択されたレコードのレジコードを含む復元データ送信要求を、サーバ装置１０に対して送信する（ステップＳ２０２）。
ここでは、図８の設定画面Ｇ２において、「登録」ｇ２５が「入替（故障）」となったものが選択される。
【００５６】
サーバ装置１０のＣＰＵ１１は、レジ装置２０から復元データ送信要求を受信すると（ステップＳ２０３）、復元データを、通信部１６を介して、復元データ送信要求の要求元のレジ装置２０に送信する（ステップＳ２０４）。
【００５７】
レジ装置２０のＣＰＵ２１は、サーバ装置１０から送信された復元データを、通信部２９を介して受信すると（ステップＳ２０５）、表示部２５に復元画面Ｇ３を表示させる（ステップＳ２０６）。
【００５８】
図１０に、復元画面Ｇ３の一例を示す。
復元画面Ｇ３には、データ復元の実行を許可するか否かの確認メッセージと、「キャンセルボタン」ｂ２と、「ＯＫボタン」ｂ３と、が表示される。
【００５９】
復元画面Ｇ３において、ユーザにより、操作部２６を介して、「ＯＫボタン」ｂ３が選択されると（ステップＳ２０７）、レジ装置２０のＣＰＵ２１は、テーブル記憶部２３においてデータを復元させる（ステップＳ２０８）。
【００６０】
以上のように、本実施形態においては、通信ネットワークＮを介してレジ装置２０に接続されるサーバ装置１０であって、アカウント情報と、アカウント情報に対応付けられた一乃至複数のレジ装置２０の設定情報と、を記憶する記憶部１３を備え、ＣＰＵ１１は、一のレジ装置２０から初期設定のための設定情報送信要求があった場合に、設定情報送信要求に含まれるアカウント情報に基づいて、当該アカウント情報に対応付く全てのレジ装置２０の設定情報を取得し、一のレジ装置２０に送信し、一のレジ装置２０から設定情報の中の一の設定情報が通知されてきた場合、一の設定情報と一のレジ装置２０とを対応付けて記憶部１３に記憶する。
このため、サーバ装置１０は、新規に設置するレジ装置２０に対して、初期設定のための設定情報を送信し、設定後の登録状態を管理できる。また、新規に設置するレジ装置２０のユーザが、サーバ装置１０から必要な設定情報を取得して、自ら初期設定を行うことができる。よって、販売元の作業員を呼ぶ必要がなく、設定の手間を低減することができる。
【００６１】
また、本実施形態においては、設定情報には、コード情報、及び当該コード情報が登録済みか否かを示す登録情報が含まれ、ＣＰＵ１１は、一のレジ装置２０から設定情報の中の一の設定情報が通知されてきた場合、一の設定情報における登録情報を登録済みとする。
このため、サーバ装置１０において、接続されたレジ装置２０の登録状況を管理することができる。
【００６２】
また、本実施形態においては、記憶部１３は、接続される全てのレジ装置２０の復元データを記憶し、ＣＰＵ１１は、一のレジ装置２０から復元データ送信要求があった場合に、復元データ送信要求に含まれる設定情報に基づいて、設定情報に対応付くレジ装置２０の復元データを取得し、一のレジ装置２０に送信する。
このため、例えば故障したレジ装置２０があった場合に、新規のレジ装置２０において元のレジ装置２０のデータを容易に復元することができる。
【００６３】
また、本実施形態においては、通信ネットワークＮを介してサーバ装置１０に接続されるレジ装置２０であって、ＣＰＵ２１は、初期設定にあたってサーバ装置１０に対して設定情報送信要求を送信し、サーバ装置１０から、設定情報送信要求に含まれるアカウント情報に対応付けられた全てのレジ装置２０の設定情報を受信し、受信した設定情報を表示部２５に一覧表示させ、操作部２６により選択された一の設定情報をサーバ装置に１０に通知する。
このため、レジ装置２０を新規に設置する場合、レジ装置２０のユーザが、必要な設定情報を取得して、自ら初期設定を行うことができる。よって、販売元の作業員を呼ぶ必要がなく、設定の手間を低減することができる。
【００６４】
以上、本発明のいくつかの実施形態を説明したが、本発明の範囲は、上述の実施の形態に限定するものではなく、特許請求の範囲に記載された発明の範囲をその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００６５】
〔付記〕
＜請求項１＞
ネットワークを介して端末装置に接続されるサーバ装置であって、
アカウント情報と、前記アカウント情報に対応付けられた一乃至複数の端末装置の設定情報と、を記憶する記憶手段と、
一の端末装置から初期設定のための設定情報送信要求があった場合に、前記設定情報送信要求に含まれる前記アカウント情報に基づいて、当該アカウント情報に対応付く全ての端末装置の前記設定情報を取得し、前記一の端末装置に送信する送信手段と、
前記一の端末装置から前記設定情報の中の一の設定情報が通知されてきた場合、前記一の設定情報と前記一の端末装置とを対応付けて前記記憶手段に記憶する記憶制御手段と、
を備えるサーバ装置。
＜請求項２＞
前記設定情報には、コード情報、及び当該コード情報が登録済みか否かを示す登録情報が含まれ、
前記記憶制御手段は、前記一の端末装置から前記設定情報の中の一の設定情報が通知されてきた場合、前記一の設定情報における前記登録情報を登録済みとする請求項１に記載のサーバ装置。
＜請求項３＞
前記記憶手段は、接続される端末装置の復元データを記憶し、
前記一の端末装置から復元データ送信要求があった場合に、前記復元データ送信要求に含まれる前記設定情報に基づいて、前記設定情報に対応付く端末装置の前記復元データを前記記憶手段から取得し、取得した前記復元データを前記一の端末装置に送信する復元データ送信手段を備える請求項１又は２に記載のサーバ装置。
＜請求項４＞
ネットワークを介してサーバ装置に接続される端末装置であって、
初期設定にあたって前記サーバ装置に対して設定情報送信要求を送信し、前記サーバ装置から、前記設定情報送信要求に含まれるアカウント情報に対応付けられた全ての端末装置の設定情報を受信する通信手段と、
前記通信手段により受信した前記設定情報を表示手段に一覧表示させる表示制御手段と、
前記表示手段に一覧表示された前記設定情報の中から一の設定情報をユーザに選択させる選択手段と、
前記選択手段により選択された前記一の設定情報を前記サーバ装置に通知する通知手段と、を備える端末装置。
＜請求項５＞
ネットワークを介して接続されるサーバ装置及び端末装置及びからなる端末設定システムであって、
前記サーバ装置は、
アカウント情報と、前記アカウント情報に対応付けられた一乃至複数の端末装置の設定情報と、を記憶する記憶手段を備え、
前記端末装置は、
初期設定にあたって前記サーバ装置に対して設定情報送信要求を送信し、前記サーバ装置から、前記設定情報送信要求に含まれるアカウント情報に対応付けられた全ての端末装置の設定情報を受信する通信手段と、
前記通信手段により受信した前記設定情報を表示手段に一覧表示させる表示制御手段と、
前記表示手段に一覧表示された前記設定情報の中から一の設定情報をユーザに選択させる選択手段と、
前記選択手段により選択された前記一の設定情報を前記サーバ装置に通知する通知手段と、を備え、
前記サーバ装置は、前記通知手段により通知された前記一の設定情報と、前記一の設定情報を通知してきた前記端末装置とを対応付けて前記記憶手段に記憶する記憶制御手段を備える端末設定システム。
＜請求項６＞
ネットワークを介して端末装置に接続されるサーバ装置のコンピュータを、
アカウント情報と、前記アカウント情報に対応付けられた一乃至複数の端末装置の設定情報と、を記憶する記憶手段、
一の端末装置から初期設定のための設定情報送信要求があった場合に、前記設定情報送信要求に含まれる前記アカウント情報に基づいて、当該アカウント情報に対応付く全ての端末装置の前記設定情報を取得し、前記一の端末装置に送信する送信手段、
前記一の端末装置から前記設定情報の中の一の設定情報が通知されてきた場合、前記一の設定情報と前記一の端末装置とを対応付けて前記記憶手段に記憶する記憶制御手段、
として機能させるプログラム。
＜請求項７＞
ネットワークを介してサーバ装置に接続される端末装置のコンピュータを、
初期設定にあたって前記サーバ装置に対して設定情報送信要求を送信し、前記サーバ装置から、前記設定情報送信要求に含まれるアカウント情報に対応付けられた全ての端末装置の設定情報を受信する通信手段、
前記通信手段により受信した前記設定情報を表示手段に一覧表示させる表示制御手段と、
前記表示手段に一覧表示された前記設定情報の中から一の設定情報をユーザに選択させる選択手段、
前記選択手段により選択された前記一の設定情報を前記サーバ装置に通知する通知手段、
として機能させるプログラム。
【符号の説明】
【００６６】
１００  端末設定システム
１０  サーバ装置
１１  ＣＰＵ（送信手段、記憶制御手段、復元データ送信手段）
１２  ＲＡＭ
１３  記憶部（記憶手段）
１３１  送信プログラム
１３２  記憶制御プログラム
１３３  復元データ送信プログラム
１３４  顧客情報記憶部
１３５  登録情報記憶部
１３６  復元データ情報記憶部
１４  表示部
１５  操作部
１６  通信部
１７  バス
２０  レジ装置(端末装置)
２１  ＣＰＵ（通信手段、表示制御手段、通知手段）
２２  ＲＡＭ
２３  テーブル記憶部
２４  プログラム記憶部
２４１  通信プログラム
２４２  表示制御プログラム
２４３  通知プログラム
２４４  復元プログラム
２５  表示部
２６  操作部（選択手段）
２６１  タッチパネル
２７  印刷部
２８  ドロア部
２９  通信部
３０  バス
Ｇ１  接続画面
Ｇ２  設定画面
Ｇ３  復元画面
Ｎ  通信ネットワーク
【図１】
0006699188.tif 000002
【図２】
0006699188.tif 000003
【図３】
0006699188.tif 000004
【図４】
0006699188.tif 000005
【図５】
0006699188.tif 000006
【図６】
0006699188.tif 000007
【図７】
0006699188.tif 000008
【図８】
0006699188.tif 000009
【図９】
0006699188.tif 000010
【図１０】
0006699188.tif 000011